(57)【要約】【課題】実際に遊技機に備えられたスピーカと異なる形状を表す発光形態を有し、この発光形態をあたかも大型スピーカ又は複数のスピーカのような形態とすることで、遊技者に大型スピーカ又は複数のスピーカを備えているかのような視覚的な感覚を与え、遊技への興趣を高める。【解決手段】所定の音を出力するスピーカ８と、スピーカ８の近傍に配置され、一つながりの線を表すような発光形態を有する導光部材６１と、を備え、導光部材６１が、少なくともスピーカ８の輪郭よりも大きい形又はスピーカ８の数量よりも多い数量を表す発光形態を有する構成としてある。【選択図】図４
2014217562.tif 000002
【特許請求の範囲】
【請求項１】
所定の音を出力するスピーカと、
前記スピーカの近傍に配置され、一つながりの線を表すような発光形態を有する発光部と、を備え、
前記発光部は、少なくとも前記スピーカの輪郭よりも大きい形又は前記スピーカの数量よりも多い数量を表す発光形態を有する
ことを特徴とする遊技機。
【請求項２】
前記発光部は、前記スピーカよりも前記遊技機の前面側に配置され、かつ、線状に形成された
ことを特徴とする請求項１記載の遊技機。
【請求項３】
前記発光部は、所定のタイミングで発光する発光素子からの光を受けて線状に発光する導光部材からなり、
この導光部材は、当該導光部材の少なくとも一の端部から光を受けて、一つながりの線を表すように発光する
ことを特徴とする請求項１又は２記載の遊技機。
【請求項４】
前記発光部は、一部を欠いた環状に形成され、
欠いた部分以外の環状部分が前記遊技機の前面側から見たときに視認可能な位置になるように、かつ、欠いた部分が前記遊技機の前面側から見たときに隠れるように、前記発光部を配置した
ことを特徴とする請求項１〜３のいずれか一項に記載の遊技機。
【請求項５】
前記発光素子と前記発光部を収納する収納部材と、前記スピーカとを一体に備える演出ユニットを備え、
この演出ユニットは、発光形態の異なる前記発光部が収納された他の演出ユニットと交換可能に前記遊技機に取り付けられた
ことを特徴とする請求項３又は４記載の遊技機。
【発明の詳細な説明】
【技術分野】
【０００１】
本発明は、スピーカを備える遊技機に関し、特に、あたかも大型スピーカ又は複数のスピーカを備えているかのような発光形態を有する発光部を備える遊技機に関する。
【背景技術】
【０００２】
一般に、遊技場には、所定の操作により遊技を進行させるスロットマシン、パチンコ機などの遊技機が複数設置されている。
この種の遊技機は、遊技の興趣を高めるために、遊技の進行に応じて効果音や音声等を出力し、聴覚的な演出を行うスピーカを外装に備えている。
近年では、スピーカに聴覚的な演出だけでなく、光による視覚的な演出も加えることで、遊技者にさらに興趣を高めるような技術がある。
例えば、スピーカそのものを発光させて、視覚的な演出を加えることで演出効果を高める技術がある（例えば、特許文献１）。
この特許文献１に記載されている技術では、スピーカ（振動板）の外周形状に沿って光源や導光部材が配置されているとともに、スピーカの振動板が拡散反射面として機能し、この振動板へ向けて光源から光を出射することで、振動板から反射した光を遊技者に視認させることができる。これにより、スピーカ自身が発光することによるインパクトを遊技者に与えることができる。
【先行技術文献】
【特許文献】
【０００３】
【特許文献１】特開２０１２−１０５７７４号公報
【発明の概要】
【発明が解決しようとする課題】
【０００４】
しかしながら、上述した技術においては、次のような問題があった。
上述したように、遊技機の前面側には聴覚的な演出を行うためのスピーカが取り付けられている。ただし、遊技機の前面側は、遊技を行うために必要な機器（例えば、表示装置や操作部）が数多く設けられている。このため、多くの機器が設けられる遊技機の前面側において、スピーカの設置スペースは、自ずと制限されるようになり、実際には、スピーカが１つのみ設けられていたり、あるいは、小型のスピーカを複数設けたりしているのが実情となっている。
ところが、遊技者の立場からすると、１つのみ設けられたスピーカや小型のスピーカから出力された効果音を聴きながら遊技を行うよりも、複数設けられたスピーカや大型のスピーカから出力された、迫力のある効果音が聴ける遊技機で遊技を行いたいと思うことがある。
【０００５】
また、特許文献１に記載の技術は、スピーカの外周形状に沿って光源や導光部材を配置するとともに、光源から出射される光をスピーカの振動板に反射させることで、視覚的な演出を実現していた。
ところが、特許文献１に記載の技術は、その発光形態がスピーカの形状に依存したものとなっており、スピーカの外周形状や振動板の形状に起因する単調な演出しか実現できないことから、演出の多様性に欠けるものとなっていた。
さらに、上述したように、従来の遊技機には、１つのスピーカあるいは小型のスピーカが設けられているのが実情であるため、特許文献１に記載された遊技機では、１つのスピーカあるいは小型のスピーカの形状に依った発光形態を有することになる。これによって、この発光形態を見た遊技者は、この遊技機には通常用いられるスピーカ（１つあるいは小型のスピーカ）が備えられていると認識するので、この遊技機に対して特別に興味を引き付けられるようなことがなかった。
【０００６】
本発明は、このような問題を解決するためになされたものであり、実際に遊技機に備えられたスピーカと異なる形状を表す発光形態を有し、この発光形態をあたかも大型スピーカ又は複数のスピーカのような形態とすることで、遊技者に大型スピーカ又は複数のスピーカを備えているかのような視覚的な感覚を与え、遊技機に対して興味を引き付けることで、遊技への興趣を高める遊技機の提供を目的とする。
【課題を解決するための手段】
【０００７】
上記目的を達成するため、本発明の遊技機は、所定の音を出力するスピーカと、スピーカの近傍に配置され、一つながりの線を表すような発光形態を有する発光部と、を備え、発光部が、少なくともスピーカの輪郭よりも大きい形又はスピーカの数量よりも多い数量を表す発光形態を有する構成としてある。
【発明の効果】
【０００８】
本発明の遊技機によれば、少なくともスピーカの輪郭よりも大きい形又はスピーカの数量よりも多い数量のように発光するので、遊技者にあたかも大型スピーカ又は複数のスピーカを備えているかのような視覚的な感覚を与えることができ、遊技への興趣を高めることができる。
【図面の簡単な説明】
【０００９】
【図１】本発明の実施形態に係るスロットマシンの外観を示す概略斜視図である。
【図２】本発明の実施形態に係るスロットマシンから演出部を取り外した状態を示す概略斜視図である。
【図３】本発明の実施形態に係る演出部の分解斜視図である。
【図４】本発明の実施形態に係る演出ユニットの分解斜視図である。
【図５】本発明の実施形態に係る収納部材への取り付け方法を示す図であって、（ａ）は収納部材にＬＥＤ基板を取り付けた状態の図であり、（ｂ）は（ａ）に擬似装飾部を取り付けた状態の図であり、（ｃ）は（ｂ）に固定部材を取り付けた状態の図である。
【図６】本発明の実施形態に係る演出ユニットを示しており、（ａ）は正面図、（ｂ）は背面図、（ｃ）は左側面図、（ｄ）は平面図である。
【図７】本発明の実施形態に係る導光部材の発光形態を示した図である。
【発明を実施するための形態】
【００１０】
以下、本発明に係る遊技機の好ましい実施形態について、各図を参照して説明する。
遊技機には、スロットマシン，パチンコ機，パロット等様々な種類があるが、本実施形態では、スロットマシンに適用した場合について説明する。
【００１１】
まず、本実施形態に係るスロットマシンについて、各図を参照して説明する。
［スロットマシン本体］
図１は、本実施形態に係るスロットマシン１の外観を示す概略斜視図である。
本実施形態のスロットマシン１は、リール（非図示）を回転させることによって遊技媒体であるメダルを獲得できる一般的な回胴式遊技機として構成されている。
【００１２】
スロットマシン１は、内部がマイクロコンピュータ等で構成された制御部（非図示）、制御部からの指令によりスピーカ８（図３参照）や電飾装置等を制御する演出制御部（非図示）及び必要な機械や装置等を収納する正面側が開口した筐体１ｂと、筐体１ｂの正面側を開閉可能に覆う前扉１ａとで構成されている。
【００１３】
前扉１ａは、スロットマシン１の筐体１ｂにヒンジ等を介して開閉可能に取り付けられる扉体で、この前扉１ａには、遊技操作に係る複数の操作部や遊技の進行にもとづいて所定の演出を行う演出部２が設けられている。
操作部としては、メダルが投入されるメダル投入口３と、装置内部にクレジットとして貯留されたメダルをゲームに賭けるベットボタン４と、リールの回転を始動させるスタートレバー５と、回転しているリールを停止させる３つの停止ボタン６ａ，６ｂ，６ｃが設けられている。
また、演出部２としては、効果音などの出力により聴覚的な演出を行うスピーカ８、大当りの告知演出やリールの停止操作の順番演出等を表示により外部に報知する液晶表示器９、光源の点灯制御により視覚的な演出を行う電飾装置等が設けられている。
【００１４】
このように構成されたスロットマシン１では、上記の各操作手段からの信号やメダルセレクタ（非図示）からの信号に基づき、制御部が各装置を制御することで、以下のようなスロットマシン遊技が進行する。
具体的には、メダル投入口３から投入されるメダルの数（例えば、３枚）又は内部的に記憶したクレジットメダルからベットボタン４の操作によって信号形式で投入されるメダルの数（例えば、３枚）に応じて遊技開始可能な状態となり、この状態でスタートレバー５が操作されると、リールが回転を開始するとともに、停止ボタン６ａ〜６ｃが押下操作されると、スタートレバー５の操作タイミングで行なわれる抽選処理の抽選結果に応じた図柄の組み合わせで停止するようにリールが停止制御され、停止した図柄の組み合わせに基づいて入賞の有無が判定され、判定結果に応じてメダル払出装置によりメダルを貯留するホッパーを介してメダル払出口７からメダルが払い出されるという、スロットマシン遊技を実現可能な構成を備えている。
【００１５】
また、スロットマシン１では、上述したようなスロットマシン遊技において、制御部が遊技状態に応じた所定の制御信号を演出制御部に出力することで、演出制御部が、この制御信号に従い、予め記憶した演出プログラムに基づき、演出部２に設けられたスピーカ８やＬＥＤ基板５０等を駆動制御して、所定の演出を行う。
【００１６】
［演出部］
次に、本実施形態の演出部２について、図２及び図３を参照して説明する。
図２は、本実施形態に係るスロットマシンから演出部を取り外した状態を示す概略斜視図である。図３は、本実施形態に係る演出部の分解斜視図である。
これらの図に示すように、演出部２は、各部材が取り付けられる枠部材１０と、液晶表示器９による画像演出を行う表示ユニット２０と、スピーカ８による聴覚的な演出と後述する擬似装飾部６０による視覚的な演出を協働させた演出を行う演出ユニット３０とを備え、前扉１ａの正面上部に取り付けられる。また、演出部２は、枠部材１０の裏面側に表示ユニット２０が取り付けられ、その後方から演出ユニット３０が表示ユニット２０の裏面側に左右一対に取り付けられるようになっている。
【００１７】
枠部材１０には、スロットマシン１の前面側に取り付けられる透光性部材からなるレンズ１１が備えられるとともに、スピーカ８から出力される音を外部に放出する開口１２等が形成されている。
表示ユニット２０には、中央箇所に液晶表示器９が配置されており、その両端に表示窓２１が備えられている。表示窓２１は、金網状に形成されており、演出ユニット３０を視認できるものの、スロットマシン１の前面側から不正具の侵入を阻止するようになっている。
【００１８】
演出ユニット３０は、スピーカ８や擬似装飾部６０等を備えており、このスピーカ８と擬似装飾部６０は、近傍に配置されている。また、擬似装飾部６０は、スピーカの輪郭を模した発光形態を有しており、近傍に位置するスピーカ８から出力される音と同期させて擬似装飾部６０を発光させた場合には、あたかも、この擬似装飾部６０から音が出力されているかのように演出することができる。
このように、本実施形態では、スロットマシン１に演出ユニット３０を備えたことで、音と光による相乗的な演出効果が得られ、遊技者の興趣を高めることができる。
【００１９】
また、演出ユニット３０を表示ユニット２０に取り付ける際には、演出ユニット３０の取付部４１を表示ユニット２０の被取付部２２に取り付け、ネジ３１によってネジ止めすることで、表示ユニット２０の裏面側に固定される。
以下に、本実施形態の演出ユニット３０について、図４〜図７を参照して詳述する。
なお、左右一対の演出ユニット３０は、同一の構造であるため、左右を区別することなく説明する。
【００２０】
［演出ユニット］
図４に示すように、演出ユニット３０は、複数のＬＥＤ５１を備えるＬＥＤ基板５０と、大型スピーカ又は複数のスピーカを備えているかのような発光形態を有する擬似装飾部６０と、ＬＥＤ基板５０及び擬似装飾部６０を収納する収納部材４０と、収納部材４０内にＬＥＤ基板５０及び擬似装飾部６０を固定する固定部材７０と、所定の音を出力するスピーカ８（スピーカ本体８０，カバー８３）と、スピーカ８を保護する板状の保護板８５とから構成されている。
このように、演出ユニット３０は、光を発光し視覚的な演出を行うＬＥＤ基板５０や擬似装飾部６０を収納した収納部材４０の後方に、音を出力し聴覚的な演出をするスピーカ８を配置する構成としている。
【００２１】
収納部材４０は、中空の箱型に形成されており、内側面４０ａ側にＬＥＤ基板５０、擬似装飾部６０、固定部材７０を取り付け、裏面４０ｂ側にスピーカ８、保護板８５を取り付け可能に構成されている。
収納部材４０は、箱の底部（裏面４０ｂ）に長円形状の開口４２を設けている。この開口４２は、スピーカ８から出力された音を、スロットマシン１の前面側に向けて伝播させるための貫通孔であり、スピーカ８が配置される位置に応じて形成されている。
また、収納部材４０の内側面４０ａには、擬似装飾部６０を取り付けるために、ボス４４、凸部４５、凸部４６、ガイド部４７が形成され、固定部材７０を取り付けるために、被係合部４８が形成されている。
【００２２】
ＬＥＤ基板５０は、表面に複数のＬＥＤ５１と電源入出力のためのコネクタ５２を備えている。
ＬＥＤ５１は、例えば、チップ型でフルカラーに発光するＬＥＤであり、発光する色、強度、点灯，消灯のタイミングは、演出制御部によって制御される。例えば、スピーカ８から出力される音と同期させるようにＬＥＤ５１の点灯，消灯のタイミングを制御させることができる。また、スピーカ８から出力される音の大小や種類に合わせてＬＥＤ５１の色や強度を調節させることができる。
【００２３】
また、本実施形態のＬＥＤ５１は、導光部材６１に光を出射するようになっている。具体的には、ＬＥＤ５１は、導光部材６１の少なくとも一の端部６２に近接するように配置され、この導光部材６１の端部６２に向けて光を発光する（図５（ｂ）参照）。
なお、ＬＥＤ５１は、すべてが同じ色に発光するものであってもよく、各々が異なる色に発光するものであってもよい。例えば、各ＬＥＤ５１が異なる色を発光する場合には、導光部材６１の各端部６２から異なる色の光が内部に入射され、導光部材６１の内部でも色同士の混合が生じ、斬新でインパクトのある演出とすることができる。
また、ＬＥＤ５１の種類は、これに限るものではなく、例えば、砲弾型のＬＥＤや単色に発光するＬＥＤ等を用いてもよい。
【００２４】
［擬似装飾部］
擬似装飾部６０は、ＬＥＤ５１からの光を受けて発光する導光部材６１と、導光部材６１の端部６２間を連結する連結部６３と、連結部６３に穿設されたネジ挿通孔６３ａとを備えている。
導光部材６１は、本発明における発光部の一例であって、透光性（無色又は有色の透明又は半透明）の樹脂部材を用いて、線状に形成されており、ＬＥＤ５１からの光を少なくとも一の端部６２に入射することで発光するようになっている。
このように、導光部材６１は、ＬＥＤ５１から、直接、光を受けることで発光するようになっている。したがって、光源から出射した光を反射させて遊技者に視認させるような間接的な発光方法と比較して、十分な発光量を得ることができ、視覚的にインパクトのある演出とすることができる。
【００２５】
本実施形態の導光部材６１は、線状に形成されており、例えば、円断面、楕円断面、多角形断面等を有している。さらに、一部を欠いた環状（例えば、半円状）に形成されており、これを上下に２つ並べた構成としてある。
このような構成とすることにより、端部６２から光が入射されると、導光部材６１は、一つながりの線を表すように発光し、擬似装飾部６０をスロットマシン１の前面側から見たときに、この発光があたかもスピーカの輪郭のように見える。（図７参照）。
また、導光部材６１の曲率を小さくした場合には、導光部材６１の径が大きくなるため、あたかも大型スピーカを備えているかのような発光形態とすることができる。
これにより、実際に備えられたスピーカが、小型スピーカであり、左右一つずつ備えられているような場合でも、あたかも大型スピーカ又は左右に複数のスピーカを備えているかのような印象を遊技者に対して与えることができる。
【００２６】
また、導光部材６１は、管状又は棒状に形成されており、端部６２から入射された光は、導光部材６１の内部に導かれて、発光するようになっている。さらに、導光部材６１が、柔軟で可撓性を有してもよい（例えば、導光チューブ）。これにより、導光部材６１の形状を曲線状に任意の形状で自由に形成することができ、形状や配置の自由度が増大する。
【００２７】
また、上記のような形状からなる本実施形態の導光部材６１は、図４等に示すように、伝播空間Ｋを形成するようになっている。つまり、この伝播空間Ｋが形成されることによって、導光部材６１の後方に配置されるスピーカ８から出力された音を遮ることなく、スロットマシン１の前面側へ伝播させることができる。
【００２８】
なお、導光部材６１の形状は、図４等に示す形状に限るものではなく、一つながりの線を表すような発光形態であって、実際に使用されているスピーカの輪郭よりも大きい形又は左右に複数のスピーカを備えているかのように発光する発光形態を有するものであれば、任意の形状とすることができる。
例えば、導光部材６１の形状は、コの字形状（逆コの字形状）、Ｕ字形状（逆Ｕ字形状）等とすることができる。
また、導光部材６１の曲率を小さくすることで、一の大型スピーカを備えているかのような形状とすることができ、あるいは、導光部材６１を三つ以上備えることで、三以上のスピーカを備えているかのような形状とすることもできる。
【００２９】
固定部材７０は、ネジ７４を挿入可能なネジ挿入孔７１と、収納部材４０の被係合部４８と係合する先端鉤状の係合部７２と、固定部材７０を収納部材４０に取り付けることにより連結部６３の側面を覆う覆い部７３と、連結部６３の上面を覆う覆い部７５とを備えている。
【００３０】
スピーカ８は、所定の音を出力するスピーカ本体８０と、このスピーカ本体８０を後方側から覆うカバー８３を備えている。
スピーカ本体８０は、コーン紙からなる振動板８１を備え、この振動板８１の外方の四隅にはそれぞれスピーカ用ネジ挿通孔８２が形成されている。
カバー８３は、内部にスピーカ本体８０を収納できる容積を有し、スピーカ本体８０が挿入される開口の周縁部の四隅にはそれぞれスピーカ用ネジ挿入孔８４が形成されている。
【００３１】
スピーカ８と収納部材４０（裏面４０ｂ）との間には、開口４２を閉鎖する位置に板状の保護板８５が設けられている。この保護板８５には、スピーカ８から出力される音をスロットマシン１の前面側へ通すための複数の透音孔８６が形成されている。
また、保護板８５を設けることにより、スロットマシン１の前面側から不正具が侵入された場合でも、保護板８５によりその侵入を阻止することができるので、不正具がスピーカ本体８０に到達できず、振動板８１を保護することができる。
【００３２】
次に、以上のような構成からなる演出ユニット３０の各部材の取り付け方法について説明する。
収納部材４０の内側面４０ａ側においては、まず、図５（ａ）に示すように、ＬＥＤ基板５０を収納部材４０に取り付ける。
具体的には、ＬＥＤ基板５０の長手方向両端部を収納部材４０のガイド部４３に嵌め込むように取り付ける。これにより、ＬＥＤ基板５０は、収納部材４０の内側面４０ａと垂直方向に立設した状態で位置決めされ、取り付けられる。
【００３３】
次いで、図５（ｂ）に示すように、擬似装飾部６０を収納部材４０に取り付ける。
具体的には、連結部６３の裏面が、収納部材４０の凸部４５、凸部４６、ガイド部４７の上面部分に当接するように配置する。また、このとき、ネジ挿通孔６３ａがボス４４のネジ孔４４ａの開口側と正対するようになっている。凸部４５、凸部４６、ガイド部４７は、収納部材４０の内側面４０ａの２箇所にそれぞれ形成された凸状部分であり、擬似装飾部６０を収納部材４０に取り付ける際に、この擬似装飾部６０の取り付け位置を位置決めする機能を有する。
【００３４】
ここで、本実施形態の擬似装飾部６０は、導光部材６１以外の部分（環状の一部を欠いた部分）が、液晶表示器９側に位置するように収納部材４０内に収納される。
このような構成とするのは、例えば、この導光部材６１以外の部分が、液晶表示器９側と反対側に位置するように収納部材４０内に収納した場合、物理的に設置可能なスペースが存在しないにもかかわらず、大型スピーカあるいは複数のスピーカを備えるように発光することから、この発光形態が、実際に備えられたスピーカの形状によるものではないと遊技者に容易に認識されてしまうからである。
つまり、本実施形態では、導光部材６１以外の部分を液晶表示器９側に位置するように収納部材４０内に収納することで、あたかも、実際に備えられたスピーカの一部（環状の一部を欠いた部分）が、液晶表示器９側に収められているかのような錯覚を遊技者に与えることができる（図７参照）。
【００３５】
次いで、図５（ｃ）に示すように、固定部材７０を収納部材４０に取り付ける。
具体的には、固定部材７０を、収納部材４０の内側面４０ａ側開口部分の側方に配置する。これによって、擬似装飾部６０の連結部６３の上面及びＬＥＤ基板５０が覆い部７５によって覆われ、擬似装飾部６０の連結部６３の側面が覆い部７３によって覆われることになる。そして、ネジ７４を、ネジ挿入孔７１及びボス４４のネジ孔４４ａに螺入することで、固定部材７０が擬似装飾部６０とともに収納部材４０に螺着固定される。ボス４４は、ボス４４の内部に向かって穿設されたネジ孔４４ａを有し、このネジ孔４４ａを介して擬似装飾部６０と固定部材７０を収納部材４０に螺着固定するための凸状部分である。
【００３６】
なお、固定部材７０を収納部材４０に取り付ける際、係合部７２は、収納部材４０の上面に設けられた被係合部４８に係合する。具体的には、係合部７２を被係合部４８に押し込むように挿入すると、係合部７２の鉤部分が被係合部４８の内周縁に当接し、弾性変形して被係合部４８の内方へ進入する。そして、係合部７２の鉤部分が被係合部４８を抜け出ると、弾性変形する前の形状に復元し、係合部７２の鉤部分が被係合部４８に引っ掛かるように係止する。
【００３７】
このように、固定部材７０を収納部材４０に取り付けることによって、収納部材４０の内側面４０ａ側開口部分の一部が、固定部材７０により被覆される。
これにより、図５（ｃ）に示すように、固定部材７０の取り付けによって被覆されない部分（窓部４９）においては、遊技者がスロットマシン１の前面側から見たときに導光部材６１の発光を視認することができる。このことから、導光部材６１（環状部分）のみを見せることで、スロットマシン１の前面側の限られたスペースを利用しながらも、あたかも大きいスピーカを備えているかのような感覚を遊技者に与えることができる。
その一方で、固定部材７０の取り付けによって、擬似装飾部６０のうち導光部材６１（環状部分）以外の部分である連結部６３が隠れるため、固定部材７０を取り付けない場合に、本来の形状（Ｄ字形状）で見えてしまうのを、あたかも円環状に一つながりとなっているかのように見せることができる。
【００３８】
一方、収納部材４０の裏面４０ｂ側においては、スピーカ８及び保護板８５を収納部材４０に取り付ける。
具体的には、収納部材４０の開口４２の位置に合わせて、保護板８５を配置し、その後方からカバー８３にスピーカ本体８０を収納した状態のスピーカ８を配置する。そして、
ネジ８７をスピーカ用ネジ挿入孔８４から挿入し、裏面４０ｂに設けられた図示しないネジ孔に螺着することで、収納部材４０にスピーカ８と保護板８５を取り付ける（図６参照）。
これにより、演出ユニット３０が完成する。
【００３９】
このように完成した演出ユニット３０（図６参照）は、上述したように、表示ユニット２０（被取付部２２）に着脱可能に取り付けられる。
これにより、必要に応じて、発光形態の異なる導光部材６１が収納された他の演出ユニット３０と交換することができ、演出態様が選択可能となり、多彩な演出を行うことができる。
また、スピーカ８やＬＥＤ５１等の各部材が故障や破損した場合には、他の演出ユニット３０と取り替えることにより、各部材を個々に取り外して修理する必要がなく、容易に交換することができる。
【００４０】
また、本実施形態の演出ユニット３０は、図６等に示すように、スピーカ８を収納部材４０の後方に配置する構造とするため、スロットマシン１の前面側とスピーカ８との距離が大きくなる。
その結果、スロットマシン１の前面側から不正具が内部に差し込まれたとしても、スピーカ８への到達が困難なため、スピーカ８に対する破壊等の不正行為を予防することができる。
【００４１】
次に、演出ユニット３０の動作について説明する。
まず、遊技の進行にもとづいてスピーカ８から出力される音に同期するように、ＬＥＤ５１が、演出制御部により制御されて、所定の色，強度，タイミングで発光する。そして、このＬＥＤ５１が出射した光が、発光部材６１の端部６２に入射されて、発光部材６１が発光する。
このとき、発光部材６１は、あたかもスピーカの輪郭ように発光し、さらに、導光部材６１の近傍から音が出力されるので、一見、遊技者は、実際に備えられているスピーカが発光しているような感覚を得ることになる。
また、導光部材６１が、通常用いられるスピーカ（小型のスピーカ）の輪郭よりも大きい形又は複数のスピーカを備えているかのように発光するので、遊技者の興味を引き付けることができる。
【００４２】
さらに、演出ユニット３０は、スピーカ８から出力された音を遮ることなく遊技者に確実に伝える。
これは、スピーカ８から出力された音が、保護板８５の透音孔８６、収納部材４０の開口４２、収納部材４０内（伝播空間Ｋ）、表示ユニット２０の表示窓２１、枠部材１０の開口１２を通って、スロットマシン１の前面側へ伝播することができるからである。このように、スピーカ８を収納部材４０の後方に配置する構造とした場合でも、スピーカ８の持つ機能を提供することができる。
【００４３】
以上説明したように、本実施形態のスロットマシン１によれば、実際に遊技機に備えられたスピーカと異なる形状を表す発光形態を有し、この発光形態をあたかも大型スピーカ又は複数のスピーカのような形態とすることで、遊技者にあたかも迫力ある音が出力される大型スピーカ又は複数のスピーカを備えているかのような視覚的な感覚を与え、遊技機に対して興味を引き付けることで、遊技への興趣を高めることができる。
【００４４】
以上、本発明の遊技機の好ましい実施形態について説明したが、本発明に係る遊技機は上述した実施形態にのみ限定されるものではなく、本発明の範囲で種々の変更実施が可能であることはいうまでもない。
上述した実施形態では、演出ユニット３０は、前扉１ｂの上部に取り付けられる場合で説明したが、これに限らず、遊技者の視聴し得る位置であれば任意の位置に配置することができる。例えば、前扉１ｂの下部に取り付けることもできる。
また、収納部材４０内において導光部材６１の位置を変更可能な構成としてもよい。この場合には、例えば、導光部材６１を連結部６３から着脱可能とし、さらに、ＬＥＤ基板５０上に実装したＬＥＤ５１の位置ごとに端部６２を配置可能な構成とする。これにより、一の演出ユニット３０内で多種多様な形状で演出を実現することができる。
また、上述した実施形態では、図４等に示すように、発光部が導光部材６１の場合で説明したが、これに限らず、任意の部材とすることができる。例えば、一つながりの線を表すようにＬＥＤが配置されたＬＥＤ基板を発光部として用いてもよい。この場合、ＬＥＤ基板には、スピーカから出力される音を通すための透音孔を設けることが好ましい。あるいは、環状に形成したネオン管を発光部として用いてもよい。
【産業上の利用可能性】
【００４５】
本発明は、スピーカとスピーカの近傍に発光部を備えるスロットマシン、パチンコ機などの遊技機に好適に利用することができる。
【符号の説明】
【００４６】
１        スロットマシン（遊技機）
２        演出部
８        スピーカ
８１      振動板
８５      保護板
３０      演出ユニット
４０      収納部材
４２      開口
４９      窓部
５０      ＬＥＤ基板
５１      ＬＥＤ
６０      擬似装飾部
６１      導光部材（発光部）
６２      端部
７０      固定部材
Ｋ        伝播空間
【図１】
2014217562.tif 000003
【図２】
2014217562.tif 000004
【図３】
2014217562.tif 000005
【図４】
2014217562.tif 000006
【図５】
2014217562.tif 000007
【図６】
2014217562.tif 000008
【図７】
2014217562.tif 000009